(57)【特許請求の範囲】
【請求項１】
表面に諸標の表示がされている平板状の標示部と、
前記標示部の上端で折り返されて当該標示部の裏面に重なる平板状の裏面部と、
前記裏面部の下端の一部が前記標示部側に折り返されて上方に延びた係合片と、
前記標示部の下部に設けられて、前記係合片が挿入されるスリットとを備え、かつ、前記標示部と裏面部と係合片とを弾性変形可能な板材で一体に形成した板状カバー体を、トンネルや防護壁等の壁面に取り付けられている既設の垂直平板状の表示基板の表面側に前記標示部を対面させるとともに前記裏面部を前記表示基板の裏面側に対面させるように前記表示基板に被せ、前記係合片を前記スリットに挿入して前記表示基板に装着するようにしたことを特徴とする標示カバー。
【請求項２】
前記係合片は、前記標示部に設けられているとともに、前記スリットは、前記裏面部に設けられている請求項１に記載の標示カバー。
【請求項３】
前記係合片の左右両側の先端には、凸片が設けられている請求項１又は２に記載の標示カバー。
【請求項４】
前記板状カバー体は、前記係合片を前記裏面部又は標示部の下端の中央に設け、
前記係合片が設けられていない前記標示部又は裏面部の下端の両側に、前記裏面部側又は標示部側にそれぞれ折り返された２つの舌片を設け、
前記板状カバー体を表示基板に装着する時、前記２つの舌片を、前記表示基板の下端を超えて折り返し前記裏面部側又は標示部側に位置させるようにした請求項１〜３のいずれか１項に記載の標示カバー。
【請求項５】
前記板状カバー体の２つを、両カバー体における裏面部同士又は標示部同士の隣接する境目で折り曲げ可能にして一体形成した請求項１〜４のいずれか１項に記載の標示カバー。
【請求項６】
前記請求項１〜５のいずれか１項に記載の標示カバーと、左右の両側部が壁に固定されて当該両側部の間に形成された第１表示面と第２表示面の少なくとも一面に前記標示カバーが装着される垂直平板状の表示基板とを備えたことを特徴とする標示装置。
【発明の詳細な説明】
【技術分野】
【０００１】
本発明は、鉄道線路等の標示装置における諸標の表示状態を回復するためのメンテナンスをメンテナンス用具等を用いることなく短時間で行えるようにした標示カバー及び標示装置に関するものである。
【背景技術】
【０００２】
鉄道線路や高速道路、例えば、線路の脇には、数字や記号などの線路諸標を表示した標示装置が設置されている。諸標は、例えば、距離標、曲線標、こう配標等で安全運転や保守の面で必要な各種の標識であり、線路の各所に設けられて、運転手が諸標の表示を見ることにより、現地点の運転条件などの確認等ができるようになっている。
【０００３】
標示装置は、トンネル内や高架軌道のように線路の脇に防護壁等の壁がある箇所では、その壁に取り付けられている。壁に取り付けられた標示装置は、上りと下りの両方の列車の運転手に諸標の表示が目視し得るように、上り側から見える第１表示面と下り側から見える第２表示面の境界で垂直に折れ曲がった垂直平板状の表示基板の両端を壁面に固定したものが知られている（例えば、特許文献１参照）。
【先行技術文献】
【特許文献】
【０００４】
【特許文献１】実用新案登録第３１６０８２５号公報
【発明の概要】
【発明が解決しようとする課題】
【０００５】
ところで、前述の標示装置は、線路の脇に設置されているため、鉄道車両の走行によって生じる鉄粉などが表示された諸標に付着して汚れ、視認性が低下して諸標の表示を運転手が視認できなくなるので、拭き取りなどの清掃を実施し視認性を回復するようにしている。しかし、標示装置を長期間使用していると、清掃を行っても諸標の表示が運転手に視認不可能になってしまうことがある。この場合、従来は諸標の表示を新しく直したり標示装置自体の交換を行ったりするメンテナンスを行っているが、このメンテナンスには多大の時間とメンテナンスに必要な多くのメンテナンス用具等の運搬を行わなければならなかった。
【０００６】
本発明が解決しようとする課題は、標示装置における諸標の表示状態を回復するためのメンテナンスを、メンテナンス用具等を用いることなく、従って、用具の運搬を必要とせず、かつ、短時間で行えるようにした標示カバー及び標示装置を提供することにある。
【課題を解決するための手段】
【０００７】
前記課題を解決するため本発明に係る標示カバーは、表面に諸標の表示がされている平板状の標示部と、前記標示部の上端で折り返されて当該標示部の裏面に重なる平板状の裏面部と、前記裏面部の下端の一部が前記標示部側に折り返されて上方に延びた係合片と、前記標示部の下部に設けられて、前記係合片が挿入されるスリットとを備え、かつ、前記標示部と裏面部と係合片とを弾性変形可能な板材で一体に形成した板状カバー体を、トンネルや防護壁等の壁面に取り付けられている既設の垂直平板状の表示基板の表面側に前記標示部を対面させるとともに前記裏面部を前記表示基板の裏面側に対面させるように前記表示基板に被せ、前記係合片を前記スリットに挿入して前記表示基板に装着するようにしたことを特徴とする。
本発明は、前記構成の標示部と裏面部において、係合片と該係合片が挿入されるスリットを、前記構成とは逆の構成にする、すなわち、係合片を標示部に、スリットを裏面部にもうけるようにしてもよい。
【０００８】
このように、表面に諸標の表示がされている標示部と、標示部の上端で折り返されて標示部の裏面の前面に重なる平板状の裏面部と、一例として、裏面部の下端の一部が標示部側に折り返されて上方に延びた係合片と、標示部の下方に設けられたスリットとを備え、前記標示部と裏面部と係合片とを弾性変形可能な板材で一体に形成した板状カバー体を、既設の表示基板の表示面に被せて係合片をスリットに挿入することで、標示カバーが表示基板に装着されるので、本発明に係る標示カバーを用意するだけで、メンテナンス専用用具を要することなく標示装置のメンテナンスを短時間で行えることになる。
【０００９】
本発明標示カバーにおいて、前記係合片は、裏面部に設けられているとともに、前記スリットは、標示部に設けられていることが好ましい。また、前記係合片の左右両側の先端に、該係合片の左右に広がる凸片を設けることが好ましい。さらに、板状カバー体において、前記係合片を裏面部の下端の中央に設ける一方、係合片が設けられていない標示部の下端の両側に、裏面部側にそれぞれ折り返される２つの舌片を一体に設け、板状カバー体を前記係合片をスリットに挿入して表示基板に装着するとき、前記２つの舌片を、該表示基板の下端を超えてその表示基板の表面側に位置させるようにすることが好ましい。本発明において、前記２つの舌片は裏面部の下端の両側に設けてもよい。
本発明においては、板状カバー体の２つを、両カバー体における裏面部同士又は標示部同士の隣接する境目で折り曲げ可能にして一体形成することができる。
【００１０】
また、前記課題を解決するため本発明に係る標示装置は、前記の標示カバーと、左右の両側部が壁に固定されて当該両側部の間に形成された第１表示面と第２表示面の少なくとも一面に前記標示カバーが装着される垂直平板状の表示基板とを備えたことを特徴とする。このように構成しても、前述の標示カバーと同様にメンテナンスを短時間で行える標示装置が得られる。
【発明の効果】
【００１１】
本発明によれば、標示装置における諸標の表示状態を回復するためのメンテナンスを、メンテナンス用具等を用いることなく短時間で行うことができる。
【図面の簡単な説明】
【００１２】
【図１】本発明の実施形態の一例に係る標示カバーを示す斜視図。
【図２】本実施形態の標示カバーに用いられる凸片の一例を示す斜視図。
【図３】本実施形態の標示カバーに用いられる舌片の一例を示す斜視図。
【図４】本実施形態の標示カバーを既設の表示基板に装着した状態の一例を示す斜視図。
【図５】（ａ）〜（ｄ）は本実施形態の標示カバーを既設の表示基板に装着する過程を説明するための斜視図。
【図６】２つの板状カバー体を裏面部で連結した実施形態の本発明標示カバーの他の例を示す斜視図。
【発明を実施するための形態】
【００１３】
以下、本発明に係る標示カバーの実施形態例を添付図面に基づいて説明する。図１〜図５に示すように、本実施形態の標示カバー１は、表面に諸標７の表示がされている標示部３と、標示部３の上端で折り返されて標示部３の裏面に重なる裏面部４と、図の例では裏面部４の下端の一部が標示部３側に折り返されて上方に延びた係合片５と、標示部３の下方に設けられたスリット６とを備えている。なお、図示しないが、上記形態に代えて係合片５を標示部３の下端に、スリット６を裏面部４の下方に、それぞれ設ける場合もある。
【００１４】
標示部３は、平板状、例えば、矩形平板状に形成されている。標示部３の縦方向（高さ方向）の長さは、既設の垂直平板状の表示基板１１（図４、図５参照。）の中で縦方向が一番長い基板の長さより長く、例えば、若干長い寸法で形成されていることが好ましい。標示部３の横方向（幅方向）の長さは、既設の表示基板１１の中で横方向の長さが一番短い基板の長さより短く、例えば、若干短い寸法で形成されている。なお、既設の表示基板１１の種類ごとに複数の標示カバー１を形成するようにしてもよい。標示部３の表面には、例えば、距離標、曲線標、こう配標等の諸標７が表示されている。諸標７を表示する手段としては、特に限定されず、手書き、転写シートなどの周知の手段を用いて諸標７が表示されている。
【００１５】
裏面部４は、標示部３の上端で折り返されて当該標示部３の裏面に重なる平板状、例えば、矩形平板状に形成されている。裏面部４の縦方向（高さ方向）の長さは、標示部３と同じ寸法で形成されていることが好ましい。裏面部４の矩形の大きさは、縦方向の長さが標示部３と同じ寸法で形成されていれば、横幅が標示部３と異なっていてもよいが、標示部３と略同じ矩形状であることが好ましい。なお、裏面部４の外表面（標示部３の裏面と対向する面と反対側の表面）に、標示部３の表面に表示されているのと同一の諸標７を表示するようにしてもよい。こうすると、標示部３と裏面部４の表面に同一の諸標７が表示されていることにより、両方の諸標７を使用することができる。その結果、標示部３側の諸標７の視認性が低下し清掃を行っても諸標７の表示が運転手に視認できなくなる場合には、裏面部４側の諸標７を表示することができるので、別の標示カバー１を持っていかなくてもメンテナンスを行える。
【００１６】
裏面部４の下端の一部は、標示部３側に折り返されて上方に延びる係合片５として形成されている。係合片５は、例えば、裏面部４の下端の中央部に任意の幅で１つ形成されている。なお、係合片５は、裏面部４の下端の中央部に１つ形成されているが、これに限定されず、２つ以上でもよい。また、係合片５は、前記裏面部４に設けることに代えて標示部３の下端の一部に形成するようにしてもよい。
【００１７】
標示部３の下方には、横方向（幅方向）に延びたスリット６が設けられている。スリット６は、前記係合片５が挿入されて該係合片５を係合して保持するものである。スリット６は、係合片５を挿入した係合状態が解除され難い位置及び幅に任意に設定される。
【００１８】
標示部３と裏面部４と係合片５とは、弾性変形可能な板材、一例として、合成樹脂等の平板材で一体に板状カバー体２として形成されている。すなわち、板状カバー体２は、例えば、弾性変形可能な合成樹脂製の平板材から、展開状態の標示部３の形成部、裏面部４の形成部及び係合片５の形成部を打ち抜いて板状カバーシート体を形成し、このシート体を折り曲げて形成したものである。展開状態の板状カバー体２は、標示部３が表示基板１１の表面側に対面するとともに裏面部４が表示基板１１の裏面側に対面するように標示部３及び裏面部４の上端で折り曲げて表示基板１１に被せてから、標示部３側に折り曲げた係合片５を標示部３のスリット６に挿入することで、表示基板１１に装着するようになっている。
【００１９】
係合片５のスリット６に挿入される部位、一例として、先端の左右両側の先端側には、図２に示すように、左右に突出する凸片８を設けることが好ましい。凸片８の係合片５の両側から突出する寸法は、特に限定されないが、２つの凸片８の突出する先端間の長さ（幅）がスリット６の左右幅より若干大きな寸法で形成されていることが好ましい。凸片８の形状は、長方形状やその他の形状でもよいが、凸片８の係合片５の先端側の側部８ａが傾斜した矩形状や三角形状等に形成されていることが好ましい。本発明では、係合片５に凸片８を設けた場合、スリット６の左右側端部に、前記凸片８の左右幅と同等であって水平な該スリット６に対し上向き又は下向きに傾斜したスリット拡張部を形成するようにしてもよい。スリット拡張部は、係合片５をスリット６に挿入するとき、左右の凸片８をスリット拡張部の傾斜に合わせて傾斜させてスリット拡張部に挿入して該凸片８の傾斜を戻すと、凸片８がスリット拡張部から抜けなくなる。
【００２０】
また、標示部３の下端において係合片５に覆われない両側には、図３に示すように、裏面部４側にそれぞれ折り返される２つの舌片９を一体に設けることが好ましい。舌片９の長さは、板状カバー体２を表示基板１１に装着するとき、当該基板１１の下端を超えて裏面部４の表面側に位置させ得る寸法で形成されている。これにより、板状カバー体２を表示基板１１に被せてから、係合片５をスリット６に挿入するとき、２つの舌片９を表示基板１１と裏面部４の間、又は裏面部４の外表面に位置させ得るようになっている。
【００２１】
次に、上記のように構成した本実施形態の標示カバー１を表示基板１１に装着する場合について説明する。表示基板１１は、図５（ａ）に示すように、既に壁（図示せず）に取り付けられていて、第１表示面Ａと第２表示面Ｂの境界線ａｂで折れ曲がった垂直平板状の表示基板１１の両端が壁面にボルトｂ等で固定されているものであり、図５の例では第１、第２の両表示面Ａ，Ｂともその諸標７のメンテナンスが必要な場合であるとする。
【００２２】
図５（ｂ）に示すように、係合片５を標示部３の裏面側に位置させた状態で、板状カバー体２を上から例えば第１表面Ａ側の表示基板１１に、標示部３が表示基板１１の表面側に対面するとともに裏面部４が表示基板１１の裏面側に対面するように被せる。被せた後、図５（ｃ）に示すように、裏面部４の下端の係合片５を表示基板１１と標示部３の下端を超えて標示部３の前に持ってくる。すなわち、係合片５を弾性力に抗して係合片５の基部である裏面部４の下端から折り返された箇所を軸に折り曲げる。
【００２３】
係合片５は弾性力によって元の形状に戻るが、図５（ｄ）に示すように、標示部３の中程を弾性力に抗して表示面Ａから少し浮かせるように大略浅いくの字状に湾曲させた状態を作り、スリット６に係合片５を挿入する。挿入されたら標示部３を湾曲させている力を解除する。なお、標示部３の湾曲と同時に係合片５をスリット６に挿入するために折り曲げてもよい。標示部３への湾曲力を解除すると、標示部３は弾性力によって元の略平板状に戻り、係合片５はスリット６に奥深く挿入されて係合状態となる（図４参照）。これにより、板状カバー体２が第１表示面Ａ側の表示基板１１に装着される。第２表示面Ｂ側の表示基板１１に関してもメンテナンスが必要な場合、別の標示カバー１を前述と同様にして板状カバー体２を第２表示面Ｂ側の表示基板１１に被せて係合片５をスリット６に挿入することで、図４に示すように、第２表示面Ｂ側の表示基板１１に標示カバー１を装着することができる。図４は、第１、第２の両表示面Ａ，Ｂを本実施形態の標示カバー１によってメンテナンスした状態を示している。
【００２４】
以上のように、本実施形態の標示カバー１は、板状カバー体２を表示基板１１に被せて係合片５をスリット６に挿入するだけで表示基板１１に装着されるので、標示装置のメンテナンスを専用工具などのメンテナンス用具を用いることなく短時間で行うことができる。また、表示基板１１に表示されている諸標７の表示内容を変更する場合には、変更する諸標７が表示された標示カバー１を表示基板１１に装着するだけで諸標７の変更を行えるので、標示変更の場合もメンテナンスの場合と同様に、元の表示基板１１を活かして、短時間で簡単に諸標７の変更を行える。特に、トンネル内などの暗い場所や、足元がバラストの足元不如意の場所での施工では、標示体の他にビス等の取付部品が必要なことがあるため、施工中にビス等の取付部品を落としたりして紛失する恐れが多々あった。しかしながら、本実施形態の標示カバー１では、取付部品が全く不要であるので、その心配もない。また、標示部３及び裏面部４は、高さ方向の長さが既設の表示基板１１の中で一番長い基板の長さより長く、横方向の長さが既設の表示基板１１の中で一番短い基板の長さより短く形成されているので、本実施形態の標示カバー１は、既設のサイズが異なる全ての表示基板１１に装着することが可能である。
【００２５】
なお、係合片５を裏面部４に設け、スリット６を標示部３に設けると、係合片５を標示部３に設けている場合に比してスリット６に挿入させ易い。また、係合片５の両側の先端にスリット６の幅からはみ出す凸片８が設けられていると、該凸片８がストッパとして作用し係合片５がスリット６から抜け難くなりスリット６と係合片５の係合状態を長期間保持することができる。さらに、標示部３の下端の両側に２つの舌片９を設けて、板状カバー体２を表示基板１１に被せてから、係合片５をスリット６に挿入するとき、舌片９を表示基板１１と裏面部４の間又は裏面部４の外表面に位置させることで、風の圧力、特に列車が通る際の風圧によって標示部３が表示基板１１から浮き上がって係合片５がスリット６から抜け出ることが抑制されるので、スリット６と係合片５の係合状態を長期間保持することができる。
【００２６】
また、本発明では、図６に示すように、２つの板状カバー体２の裏面部４同士又は標示部３同士、例えば、２つの板状カバー体２の２つの裏面部４、４の境目で折り曲げ可能に一体形成して標示カバー１０を構成するようにしてもよい。このように２つの板状カバー体２のを一体形成した標示カバー１０を構成すると、表示基板１１の第１表示面Ａと第２表示面Ｂの境界で折れ曲がった垂直平板状の表示基板１１の両表示面Ａ，Ｂに板状カバー体２を装着する場合、個別に板状カバー体２を装着する場合に比して短時間で簡単に装着することができる。
【００２７】
すなわち、標示カバー１０の２つの板状カバー体２，２を裏面部４，４の境目１０ａを表示基板１１の第１表示面Ａと第２表示面Ｂの折れ曲がった角度とほぼ同じ角度に折り曲げる。折り曲げた２つの板状カバー体２，２を、それぞれ標示部３、３が表示基板１１の２つの表示面Ａ，Ｂにそれぞれ対面するとともに、それぞれの裏面部４，４が表示基板１１の裏面側に対面するように被せる。各係合片５，５を標示部３，３及び表示基板１１の下端から前方に持ってきて、それぞれ係合片５，５を標示部３，３のスリット６，６に挿入する。これにより、標示カバー１０は、表示基板１１の第１表示面Ａと第２表示面Ｂの両方に一度に装着することができ、表示面ごとに個別に板状カバー体２を装着する場合に比して短時間で簡単に装着することができる。
【００２８】
本実施形態の標示装置は、上述の標示カバー１と、標示カバー１が装着される前記表示基板１１を一例とする垂直平板状の表示基板とを備えたものである。表示基板としては、両側部が例えばボルト等により壁に固定でき当該両側部間に本実施形態の標示カバー１を装着できる垂直平板状に形成されたもので、既設の例えばアルミ製のもの等を使用することができる。表示基板の標示カバー１が装着される個数は、特に限定されず、１つでも２つ以上でもよい。例えば、標示カバー１の装着個数が２つであるとすると、表示基板は、第１表示面と第２表示面とが境で折れ曲がった垂直平板状に形成され、両端が壁面にボルト等で固定されるものである。
【００２９】
このように、本実施形態の標示装置が標示カバー１と表示基板で構成されることで、まず、表示基板の両端をボルト等で壁面に固定し、次いで、第１表示面側の表示基板に前述と同様に標示カバー１を被せて係合片５をスリット６に挿入することで、第１表示面側の表示基板に標示カバー１が装着される。この装着後、第２表示面側の表示基板に前述と同様に別の標示カバー１を被せて係合片５をスリット６に挿入することで、第２表示面側の表示基板に標示カバー１が装着される。
【００３０】
そして、本実施形態の標示装置にいおいて、装着した標示カバー１の表示面（諸標７）の清掃を行っても諸標７の表示が運転手が視認し難くなってしまったり、諸標７の表示内容を変更する場合には、まず、装着している標示カバー１のスリット６から係合片５を抜いて係合片５を表示基板と裏面部４との間に位置させた後に、標示カバー１を上方に移動させることで、当該標示カバー１を表示基板から取り外す、次に、新たな標示カバー１を前述と同様に表示基板に被せて係合片５をスリット６に挿入することで、表示基板に新たな標示カバー１を装着することができる。
【００３１】
このように本実施形態の標示装置を構成することで、本実施形態の標示装置は、上述の本実施形態の標示カバー１と同様の作用効果を奏する。例えば、本実施形態の標示装置は、標示カバー１を準備すれば、標示装置のメンテナンスを専用工具などのメンテナンス用具を用いることなく短時間で行うことができるとともに、諸標７の変更も短時間で簡単に行える。その他の作用効果は上述の本実施形態の標示カバー１と同様であるので省略する。
【符号の説明】
【００３２】
１  標示カバー
２  板状カバー体
３  標示部
４  裏面部
５  係合片
６  スリット
７  諸標
８  凸片
９  舌片
１０  標示カバー
１１  表示基板
Ａ  第１表示面
Ｂ  第２表示面
【図１】
0006412370.tif 000002
【図２】
0006412370.tif 000003
【図３】
0006412370.tif 000004
【図４】
0006412370.tif 000005
【図５】
0006412370.tif 000006
【図６】
0006412370.tif 000007